(57)【要約】【課題】これまでの植木鉢及びプランターに代えて使用可能な持ち運び及び保管が簡単で安値な植物育成装置を提供すること。【解決手段】本発明の植物育成装置１は、上方に開口部を有し有底の可撓性シート材からなり内部に培地Ｇを詰めて植物を育成する植物育成袋１０において、上方に開口部を有し有底で培地を収容する透水性シート材からなる内袋１１と、内袋の開口部を除き、底部との間に所定の隙間をあけて外周囲を不透水性シート材で覆った外袋１２とを有し、開口部に支持棒７Ａ、７Ｂが装着される取付け部が形成されている植物育成袋と、この植物育成袋が懸架される支持スタンド３であって、植物育成袋の取付け部に装着される支持具と、支持具を所定の高さで保持する折畳み自在な支持フレーム３Ａ、３Ｂで構成された支持スタンドとからなることを特徴とする。【選択図】図１
2008048640.tif 000002
【特許請求の範囲】
【請求項１】
上方に開口部を有し有底の可撓性シート材からなり内部に培地を詰めて植物を育成する植物育成袋において、
前記植物育成袋は、上方に開口部を有し有底で培地を収容する透水性シート材からなる内袋と、前記内袋の開口部を除き、底部との間に所定の隙間をあけて外周囲を不透水性シート材で覆った外袋とを有し、前記開口部に支持具が装着される取付け部が形成されていることを特徴とする植物育成袋。
【請求項２】
前記内袋は不透水性シート材で形成するとともに底部に複数個の水抜き穴が形成され、前記外袋は同じく不透水性シート材で形成するとともに少なくとも１個の水抜き穴が形成されていることを特徴とする請求項１に記載の植物育成袋。
【請求項３】
前記内袋又は外袋の少なくともいずれか一方にはカラー又は模様が付されていることを特徴とする請求項１又は２に記載の植物育成袋。
【請求項４】
前記内袋及び外袋は、その開口部が実質的に矩形又は楕円形状に形成されていることを特徴とする請求項１〜３のいずれかに記載の植物育成袋。
【請求項５】
前記外袋の底部は、前記内袋の長手方向の底部に対して所定の角度の傾斜が付され、この傾斜部分の最下位に前記水抜き穴が形成されていることを特徴とする請求項２に記載の植物育成袋。
【請求項６】
前記取付け部は、棒状体からなる支持具を挿通することができる大きさの挿通孔で形成され、該挿通孔は複数本が所定の間隔をあけて多段階に設けられていることを特徴とする請求項１〜５のいずれかに記載の植物育成袋。
【請求項７】
前記内袋及び外袋は、その開口部が略円形又は多角形状に形成され、前記取付け部にリング状の支持具が装着されるようになっていることを特徴とする請求項１〜３のいずれかに記載の植物育成袋。
【請求項８】
請求項１〜６のいずれかに記載の植物育成袋が懸架される支持スタンドであって、前記植物育成袋の取付け部に装着される支持具と、前記支持具を所定の高さで保持する折畳み自在な支持部材で構成されていることを特徴とする支持スタンド。
【請求項９】
前記支持部材は、所定長さの一対の対向する第１、第２支持脚部の一端部を連結部で連結した実質的にＵ字状の２本の第１、第２支持フレームを有し、前記第１、第２支持フレームは、前記各第１、第２支持脚部の各先端部に前記支持具を保持する保持部を設けて、これらの第１、第２支持フレームのそれぞれの第１、第２支持脚部を脚部間で交差させて、その交差部を回転自在に軸支して折畳み自在にしたことを特徴とする請求項８に記載の支持スタンド。
【請求項１０】
前記第１、第２支持フレームの第１、第２支持脚部には、複数個の貫通穴又は長手方向スリット溝を形成して、前記貫通孔又はスリット溝に固定具を装着して軸支させたことを特徴とする請求項９に記載の支持スタンド。
【請求項１１】
前記連結部は伸縮自在な連結部材で連結されていることを特徴とする請求項９に記載の支持スタンド。
【請求項１２】
前記支持部材及び前記支持具は、パイプ状部材、棒状体、板状体のいずれかで形成されていることを特徴とする請求項８〜１１のいずれかに記載の支持スタンド。
【請求項１３】
請求項７に記載の植物育成袋が懸架される支持スタンドであって、該支持スタンドは円環状の支持具の直径より小さな直径を有する支持環と、前記支持環を所定の高さで保持する支持フレームで構成されていることを特徴とする支持スタンド。
【請求項１４】
請求項８〜１２のいずれかに記載の支持スタンドに、請求項１〜６のいずれかに記載の植物育成袋を取付けたことを特徴とする植物育成装置。
【請求項１５】
前記植物育成袋は、前記内袋内に防根シートが敷設されていることを特徴とする請求項１４に記載の植物育成装置。
【請求項１６】
請求項１３に記載の支持スタンドに、請求項７の植物育成袋を取付けたことを特徴とする植物育成装置。
【請求項１７】
前記植物育成袋は、前記内袋内に防根シートが敷設されていることを特徴とする請求項１６に記載の植物育成装置。
【発明の詳細な説明】
【技術分野】
【０００１】
本発明は植物育成袋及びこの袋を懸架する支持スタンド並びにこの袋及び支持スタンドからなる植物育成装置に係り、特に、これまでの植木鉢或いはプランターに代えて使用可能な植物育成装置に関するものである。
【背景技術】
【０００２】
特に一般家庭では、各種の植木、花卉等の観賞用植物を育てる容器として、植木鉢或いはプランター（Planter）が使用されており、この植木鉢等は、育成する植物に応じて様々な形状、サイズ及び模様等が付いたものが市販されている。また、これらの植木鉢或いはプランターとは異なるものであるが、果実野菜、葉物野菜、花卉あるいは根菜類などを育成及び栽培するものとして高設栽培装置が知られている（例えば、下記特許文献１、２参照）。
【０００３】
例えば、下記特許文献１に記載された高設栽培装置は、作業者が立ったままで植物を栽培することができるようになされたものである。なお、図１０は下記特許文献１に記載された簡易作業装置の側面図である。
この簡易作業装置２０は、複数列の架台２１を所定間隔で平行に併設し、各架台の上部に一対の対向するフレーム２１ａ、２１ａを設けて、これらのフレーム間に防根透水シートを跨座し、このシートに窪み２３を形成してこの窪みに培地を詰めて、各架台間に作業台車を配設して栽培等の作業を行うようにしたものである。
【０００４】
また、同様の高設栽培装置は、下記特許文献２に植物栽培用簡易ベッドとして記載されている。なお、図１１は下記特許文献２に記載された簡易ベッドの斜視図である。
この簡易ベッド２５は、不動部に立設した支柱部材２６により所定高さで略水平に配設したパイプ部材２７と、これらのパイプ部材２７間に中央部が垂れ下がるようにして取付けた栽培床２８とを備え、この栽培床２８を栽培植物の根の通過を阻止し得る大きさの孔隙を設けた透水性の内側シート２９と、この内側シートの外方で内側シートに対して所定間隔で配設した不透水性の外側シート３０とからなる二重シート材で構成したものである。この簡易ベッドは、また、一方のパイプ部材に巻取り装置３１を連結して、この巻取り装置により栽培床の高さを調節できるようになっている。さらに、同様の高設栽培装置は下記特許文献３、４にも記載されている。
【０００５】
【特許文献１】特開２００３−７９２３９号公報（図１、段落〔０００６〕〜〔０００８〕）
【特許文献２】実開平５−４６２６１号公報（図１、実用新案登録請求の範囲）
【特許文献３】実開平６−７４５６号公報（図１、実用新案登録請求の範囲）
【特許文献４】特開平８−１８２４３６号公報（図２、図８、段落〔００１４〕〜〔００１８〕）
【発明の開示】
【発明が解決しようとする課題】
【０００６】
植木鉢或いはプランターのうち、植木鉢は磁器製のものも市販されているが、大半はプラスチック製となっている。磁器製の植木鉢は、作製工程が面倒で時間が掛かり、また重量が重く割れ易く一般に高価なものになっている。これに対してプラスチック製の植木鉢及びプランターは、割れ難くその重量も軽いので扱いが簡単になるが、その作製には金型及びこの金型を使用した射出成型設備等が必要になり、この金型及び射出成型設備は高価なものとなっている。このため、種々の形状及びサイズの植木鉢或いはプランターを作製しようとすると、これらの形状等に合わせた金型が必要になり、コストを考慮すると、これらは大量生産品には向いているものの多品種及び少量生産には適していない。したがって、ユーザーが家庭菜園等で少量の異種の形状及びサイズのものを要求しても、この要求に応じることが難しくなっている。また、これまでの植木鉢及びプランターは、それぞれの大きさを有していることから、かさばったものとなり、そのための保管スペースが必要となり、また保管も面倒になっている。なお、上記特許文献１、２の高設栽培装置は、培地を収容する長尺な容器及びこの長尺容器を支える架台で構成された大掛かりな装置であって、この装置は、概ね専業農家向けの業務用のものとなっている。このため長尺な容器に培地を詰めるとその重量が重くなり、建造時からその基礎を堅固にしなければならず、装置が大型化し、さらに組み立てが面倒で全体のコスト高になるので、一般家庭等において、このような装置を構築することができない。また、上記特許文献３、４の高設栽培装置にも同じ課題が潜在している。
【０００７】
本発明は、上記のような従来技術に鑑みてなされたもので、本発明の目的は、これまでの植木鉢及びプランターに代えて使用可能な持ち運び及び保管が簡単で安値な植物育成袋を提供することにある。
【０００８】
本発明の他の目的は、上記植物育成袋を懸架する折畳み可能な支持スタンドを提供することにある。
【０００９】
本発明のさらに他の目的は、上記の植物育成袋と支持スタンドとからなる植物育成装置を提供することにある。
【課題を解決するための手段】
【００１０】
上記目的を達成するために、請求項１に記載の植物育成袋に関する発明は、上方に開口部を有し有底の可撓性シート材からなり内部に培地を詰めて植物を育成する植物育成袋において、
前記植物育成袋は、上方に開口部を有し有底で培地を収容する透水性シート材からなる内袋と、前記内袋の開口部を除き、底部との間に所定の隙間をあけて外周囲を不透水性シート材で覆った外袋とを有し、前記開口部に支持具が装着される取付け部が形成されていることを特徴とする。
【００１１】
また、請求項２に記載の発明は、請求項１に記載の植物育成袋において、前記内袋は不透水性シート材で形成するとともに底部に複数個の水抜き穴が形成され、前記外袋は同じく不透水性シート材で形成するとともに少なくとも１個の水抜き穴が形成されていることを特徴とする。
【００１２】
また、請求項３に記載の発明は、請求項１又は２に記載の植物育成袋において、前記内袋又は外袋の少なくともいずれか一方にはカラー又は模様が付されていることを特徴とする。
【００１３】
また、請求項４に記載の発明は、請求項１〜３のいずれかに記載の植物育成袋において、前記内袋及び外袋は、その開口部が実質的に矩形又は楕円形状に形成されていることを特徴とする。
【００１４】
また、請求項５に記載の発明は、請求項２に記載の植物育成袋において、前記外袋の底部は、前記内袋の長手方向の底部に対して所定の角度の傾斜が付され、この傾斜部分の最下位に前記水抜き穴が形成されていることを特徴とする。
【００１５】
また、請求項６に記載の発明は、請求項１〜５のいずれかに記載の植物育成袋において、前記取付け部は、棒状体からなる支持具を挿通することができる大きさの挿通孔で形成され、該挿通孔は複数本が所定の間隔をあけて多段階に設けられていることを特徴とする。
【００１６】
また、請求項７に記載の発明は、請求項１〜３のいずれかに記載の植物育成袋において、前記内袋及び外袋は、その開口部が略円形又は多角形状に形成され、前記取付け部にリング状の支持具が装着されるようになっていることを特徴とする。
【００１７】
請求項８に記載の支持スタンドの発明は、請求項１〜６のいずれかに記載の植物育成袋が懸架される支持スタンドであって、前記植物育成袋の取付け部に装着される支持具と、前記支持具を所定の高さで保持する折畳み自在な支持部材で構成されていることを特徴とする。
【００１８】
また、請求項９に記載の発明は、請求項８に記載の支持スタンドにおいて、前記支持部材は、所定長さの一対の対向する第１、第２支持脚部の一端部を連結部で連結した実質的にＵ字状の２本の第１、第２支持フレームを有し、前記第１、第２支持フレームは、前記各第１、第２支持脚部の各先端部に前記支持具を保持する保持部を設けて、これらの第１、第２支持フレームのそれぞれの第１、第２支持脚部を脚部間で交差させて、その交差部を回転自在に軸支して折畳み自在にしたことを特徴とする。
【００１９】
また、請求項１０に記載の発明は、請求項９に記載の支持スタンドにおいて、前記第１、第２支持フレームの第１、第２支持脚部には、複数個の貫通穴又は長手方向スリット溝を形成して、前記貫通孔又はスリット溝に固定具を装着して軸支させたことを特徴とする。
【００２０】
また、請求項１１に記載の発明は、請求項９に記載の支持スタンドにおいて、前記連結部は伸縮自在な連結部材で連結されていることを特徴とする。
【００２１】
また、請求項１２に記載の発明は、請求項８〜１１のいずれかに記載の支持スタンドにおいて、前記支持部材及び前記支持具は、パイプ状部材、棒状体、板状体のいずれかで形成されていることを特徴とする。
【００２２】
請求項１３に記載の支持スタンドの発明は、請求項７に記載の植物育成袋が懸架される支持スタンドであって、該支持スタンドは円環状の支持具の直径より小さな直径を有する支持環と、前記支持環を所定の高さで保持する支持フレームで構成されていることを特徴とする。
【００２３】
請求項１４に記載の植物育成装置の発明は、請求項８〜１２のいずれかに記載の支持スタンドに、請求項１〜６のいずれかに記載の植物育成袋を取付けたことを特徴とする。
【００２４】
また、請求項１５に記載の発明は、請求項１４に記載の植物育成装置において、前記植物育成袋は、前記内袋内に防根シートが敷設されていることを特徴とする。
【００２５】
請求項１６に記載の植物育成装置の発明は、請求項１３に記載の支持スタンドに、請求項７の植物育成袋を取付けたことを特徴とする。
【００２６】
また、請求項１７に記載の発明は、請求項１６に記載の植物育成装置において、前記植物育成袋は、前記内袋内に防根シートが敷設されていることを特徴とする。
【発明の効果】
【００２７】
本発明は上記構成を備えることにより、以下に示すような優れた効果を奏する。すなわち、請求項１の発明によれば、植物育成袋は、シート材を加工することにより簡単に作製することができる。したがって、従来のプラスチック製の植木鉢及びプランター等のように金型及びこの金型を使用した大掛かりな製造設備が不要となり極めて安値に作製できる。また、袋は不使用時に折畳むことができるので保管が簡単になり保管スペースを小さくできる。勿論、運搬及び廃棄処分も簡単になる。
【００２８】
請求項２の発明によれば、内袋の底部に複数個の水抜き穴を形成することにより、外袋と同じ不透水性シート材を使用することができるので袋の作製が簡単になる。また、外袋に少なくとも１個の水抜き穴を形成することにより、内袋から排出される水分等を外袋で少なくとも１箇所に集めて排出させることができるので、周辺の広範囲を汚すことがない。
【００２９】
請求項３の発明によれば、内袋又は外袋の少なくともいずれか一方の袋体にカラー又は模様を設けることにより、内袋に詰める培地を隠すことができ、また、部屋等の周囲の状況に合わせることが可能になりデザイン性が向上する。
【００３０】
請求項４の発明によれば、内袋及び外袋の開口部を略矩形又は楕円形にすることにより、長尺シート材を使用して袋体の作製が可能になる。
【００３１】
請求項５の発明によれば、外袋の底部を傾斜させることにより、内袋から排出される水分等を一箇所に集めて簡単に排出させることができる。
【００３２】
請求項６の発明によれば、取付け部を棒状体からなる支持具を挿通する挿通孔にすることにより取付け部の形成が容易になり、また、支持具への取り付けも簡単になる。さらに、複数本の挿通孔を所定の間隔をあけて多段階に設けることにより、支持具の取付け位置により植物育成袋の容積を簡単に変更することが可能になる。
【００３３】
請求項７の発明によれば、内袋及び外袋の開口部を略円形又は多角形に形成することにより、従来の植木鉢の代替品として形状の近いものを使用できる。例えば、この袋をリング環で保持して、リング環を紐等で吊下した使用、或いはこのリング環より直径の小さいリング環を有する支持スタンド等に装着した使用が可能になる。
【００３４】
請求項８の発明によれば、植物育成袋は、支持具により支持スタンドで保持されるので、支持スタンドへの取付け及び取り外しが容易になる。さらに、この支持スタンドが折畳み自在になっているので、不使用時の運搬或いは保管が簡単になりそのスペースも小さくできる。
【００３５】
請求項９の発明によれば、支持スタンドは、２本のＵ字状第１、第２支持フレームを用い、これらフレームの各支持脚部を軸支することにより構成できるので、部品点数が少なく、簡単に組み立てができる。
【００３６】
請求項１０の発明によれば、第１、第２支持フレームの各第１、第２支持脚部に複数個の貫通穴又は長手方向スリット溝を形成して、これらの貫通孔又はスリット溝に固定具を装着して軸支することにより、この支持スタンドに懸架する植物育成袋の高さ及び容積を簡単に変更することが可能になる。
【００３７】
請求項１１の発明によれば、連結部を伸縮自在な連結部材で連結することにより、この支持スタンドに懸架する植物育成袋のサイズを様々なものに変更することができる。
【００３８】
請求項１２の発明によれば、第１、第２支持フレーム及び支持具は、パイプ状部材、棒状体、板状体のいずれかで形成することにより、これらの素材は比較的安価に入手できて、折曲加工により形成できるので、簡単で安値に作製できる。
【００３９】
請求項１３の発明によれば、この支持スタンドは、円環状の支持具の直径より小さな直径を有する支持環と、支持環を所定の高さで保持する支持フレームで構成されているので、簡単な構成で植物育成袋を支持できる。
【００４０】
請求項１４の発明によれば、植物育成装置は、上述の支持スタンドと植物育成袋とで構成できるので、安価で持ち運びが簡単になる。また、この装置によると、植物育成袋を支持スタンドから取り外して別の場所で袋へ培地を詰め、植物を植える等の作業が可能になり、この作業中に支持スタンドを土等で汚すことがなくなる。さらに、支持スタンドは折畳み自在になるので、持ち運びが容易で保管が簡単でそのスペースも小さくできる。
【００４１】
請求項１５の発明によれば、内袋内に防根シート、例えば不織布を敷設することにより、内袋の根詰まりをなくすることができる。
【００４２】
請求項１６、１７の発明によれば、請求項１５、１６に示す効果と同様の効果を奏することができる。
【発明を実施するための最良の形態】
【００４３】
以下、図面を参照して本発明の最良の実施形態を説明する。但し、以下に示す実施形態は、本発明の技術思想を具体化するための植物育成袋及びこの袋を懸架する支持スタンド並びにこの袋及び支持スタンドからなる植物育成装置を例示するものであって、本発明をこれらに特定することを意図するものではなく、特許請求の範囲に含まれるその他の実施形態のものも等しく適応し得るものである。
【実施例１】
【００４４】
図１は本発明の実施例１に係る植物育成袋及び支持スタンドからなる植物育成装置を示す外観斜視図、図２は図１の植物育成装置を異なる角度からみたもので、図２（ａ）は図１のＸ１方向からみた側面図、図２（ｂ）は図１のＸ２方向からみた側面図である。
植物育成装置１は、所定量の培地、水及び肥料等を収容できる大きさの植物育成袋（以下、単に「袋」という）１０と、この袋１０を支持スタンドに取付ける支持棒７Ａ、７Ｂと、これらの支持棒７Ａ、７Ｂで袋１０を地表面より高い位置で支持する支持スタンド３（３Ａ、３Ｂ）とを備えている。
【００４５】
支持スタンド３は、２本のＵ字状の支持フレーム３Ａ、３Ｂを備え、各支持フレーム３Ａ、３Ｂは、何れも同じ形状を有している。そこで、以下には一方の支持フレーム３Ａを説明する。なお、他の支持フレーム３Ｂは、支持フレーム３Ａと同じ番号にダッシュを付したものを使用して支持フレーム３Ａの説明を援用することとして重複説明は省略する。
【００４６】
支持フレーム３Ａは、対向する一対のフレーム片３１、３２と、これらのフレーム片３１、３２を連結する連結片３３とを有し、全体が略Ｕ字状をなし、これらは所定太さの金属パイプ（例えば、アルミニウム管）或いは金属棒等を用いてこれらを折曲加工して形成されている。また、この支持フレーム３Ａはその表面を樹脂コートすると好ましい。この樹脂コートにより、錆の発生を防止できる。なお、この支持フレーム３Ａは樹脂材で形成してもよい。
【００４７】
対向する一対のフレーム片３１、３２は、それぞれの端部に支持棒７Ａを保持する保持具４１、４２が装着されている。これらの保持具４１、４２は、支持棒７Ａを挿通できる所定大きさの挿通穴を有するリング環を有する部材で形成されている。なお、この保持具４１、４２は、リング環を有するものに限らず、例えばＹ字状の部材でもよく、また、他の公知のクランプを使用してもよい。また、各フレーム片３１、３２の略中間部には貫通孔３０、３０が形成されている。これらの貫通孔３０、３０には、支持フレーム３Ａ、３Ｂの組み立て時に、固定具５１、５２、例えばボルトが挿入されてナットで固定される。
【００４８】
また、各支持フレーム３Ａ、３Ｂの連結片３３、３３'には、その略中間位置に一対の支持フレーム３Ａ、３Ｂの連結部間の間隔を調節する調節部材６が装着される。この調節部材６は、所定長さの棒状体からなり、両端部に結合部６１、６２として、例えば一部に開口を有する鉤部が形成されている。この調節部材６は、この結合部６１、６２を利用して各連結片３３、３３'に取付けられる。
【００４９】
支持棒７Ａ、７Ｂは、袋１０に培地が詰められて植物等が植えられた状態を保持できる程度の機械的強度を有し、その外径は袋の挿通孔に挿入できる大きさになっている。これらの支持棒には所定太さの金属パイプ（例えば、アルミニウム管）或いは金属棒等が使用される。この支持棒７Ａ、７Ｂは、その外周囲を樹脂等でコートするのが好ましい。この樹脂コートにより錆の発生を防止できる。なお、この支持棒７Ａ、７Ｂは樹脂材で形成してもよい。
【００５０】
図１、図２を参照して、支持スタンド３の組み立て手順を説明する。
支持スタンド３を構成する支持フレーム３Ａ、３Ｂ、支持棒７Ａ、７Ｂ、固定具５１、５２及び調節部材６は、袋１０と一緒にして不図示の包装袋等に収納されている。
支持スタンド３の組み立ての際は、包装袋からこれらの支持フレーム３Ａ、３Ｂ、支持棒７Ａ、７Ｂ及び固定具５１、５２等を取り出して、先ず、支持フレーム３Ａ、３Ｂの各フレーム片３１、３１'及び３２、３２'を互いに交差させて、各貫通孔３０、３０に固定具５１、５２を挿入して回動自在に固定する。その後、各連結片３３、３３'間に調節部材６を装着して組み立てを終了する。
一方、後述する袋１０の挿通孔１３に支持棒７Ａ、７Ｂを通した後にこれらの支持棒７Ａ、７Ｂの両端部を保持具４１、４２、及び４１'、４２'に挿通し、袋１０を支持フレーム３Ａ、３Ｂに懸架する。なお、袋１０の内袋には培地Ｇが詰められ、この培地Ｇに植物が植えられる。
【００５１】
この支持スタンド３によれば、部品数が少なく、その組み立てもネジ止めするだけなので組み立てが極めて簡単になる。また、袋１０の支持スタンド３からの取り外しが簡単にできるので、支持スタンド３から袋１０を取り外して別の場所で袋１０へ培地Ｇを詰め、植物を植える等の作業が可能になり、作業中に支持スタンド３を培地Ｇ等で汚すことがなくなる。さらに、支持スタンド３は折畳み自在であるので、持ち運びが容易で保管が簡単であり、またそのスペースも小さくできる。
【００５２】
この植物育成装置１の支持スタンド３は種々変更してもよい。なお、図３、図４は支持スタンドの変形例を示したもので、図３は実施例１の植物育成装置の変形例１を示し、図３（ａ）は図２（ａ）に、図３（ｂ）は図２（ｂ）にそれぞれ対応する側面図、図４は実施例１の植物育成装置の変形例２に係る外観斜視図である。なお、以下に示す支持スタンドは、上記の支持スタンド３と同じ構成を有しているので、同じ番号を付して重複説明は省略する。
【００５３】
植物育成装置１Ｂは、図３に示すように、各支持フレーム３Ａ'、３Ｂ'の各フレーム片３１、３１'及び３２、３２'に複数個の調節穴３ａ〜３ｅ及び３ａ'〜３ｅ'を形成したものである。このように各フレーム片３１、３１'及び３２、３２'に複数個の調節穴３ａ〜３ｅ及び３ａ'〜３ｅ'を設けて固定部５１、５２により軸支する位置を変更することにより、容積及び高さを変更することができる。すなわち調節部材６を固定した状態で、固定具５１、５２により調節穴の上方（例えば３ｅ、３ｅ'）を軸支すると、この支持スタンドに固定された袋１０の開口部が狭まりその結果容積が縦長となり、反対に調節穴の下方（例えば３ａ、３ａ'）を軸支すると開口が広がって容積が横長となる。これにより軸支する調節穴３ａ〜３ｅ及び３ａ'〜３ｅ'の位置を変更することにより、袋１０を調節部材６を変えることなく栽培する植物の種類に合わせた形状とすることができる。なお、軸支する位置によって支持スタンドの高さも変化する。
【００５４】
また、植物育成装置１Ｃは、図４に示すように、連結片３３、３３'に長さを変更できる連結具８、８'を設けたものである。この連結具８、８'で連結片３３、３３'の長さを変更することにより、長手方向の長さを伸縮して使用する袋１０の大きさに対応できる支持スタンドを形成できる。この連結具８、８'は連結片３３、３３'を短長にしたものを使用してもよいが、連結片３３、３３'を分割して伸縮自在に結合することで形成してもよいが、このときの伸縮自在な結合は差込式にするとよい。
【００５５】
次に、本実施例に係る植物育成装置１の支持スタンド３に装着される植物育成袋１０について説明する。なお、図５は本実施例の植物育成袋を示し、図５（ａ）は長手方向の側面図、図５（ｂ）は図５（ａ）のＸ３方向からみた側面図、図５（ｃ）は図５（ａ）のＸ４方向からみた上面図、図６は植物育成袋の作成工程を示す図、図７は植物育成袋の変形例を示す図である。
袋１０は、図５に示すように、上方に開口部１１０を有し所定量の培地が詰められる大きさの内袋１１と、この内袋１１の開口部１１０を除く外周囲を覆う外袋１２とを有し、内袋１１の底部には複数個の水抜き穴１１ａ〜１１ｎ及び外袋１２の底部には少なくとも１個の水抜き穴１２０が形成され、さらに内外袋１１、１２を接合した開口部の長手方向の対向する側辺に支持棒７Ａ、７Ｂが装着される挿通孔１３が形成された構成を有している。これらの内袋１１及び外袋１２は、それぞれフィルム状シート材で形成されている。
【００５６】
袋１０は、図６（ａ）に示すように、２枚の長尺なシート材１１Ｘ、１２Ｘを貼り合せ、所定大きさに分断することにより作製される。この２枚の長尺なシート材１１Ｘ、１２Ｘは、内袋１１を形成する内側シート１１Ｘと、外袋１２を形成する外側シート１２Ｘとなっている。これらのシート材１１Ｘ、１２Ｘは、複数枚の袋を作製できる長さ、すなわち、内側シート１１Ｘは複数枚の内袋１１Ａ〜１１Ｎを、外側シート１２Ｘは複数枚の外袋１２Ａ〜１２Ｎを作製できる長さを有している。内側シート１１Ｘにおける１枚分の内袋１１Ａは、図６（ａ）に示すように、対向する短辺１１１、１１２及び長辺１１３、１１４を有する矩形状のシート片となっている。このシート片は、対向する短辺１１１、１１２の中間点を結ぶ線上に複数個の水抜き穴１１ａ〜１１ｎ（図５参照）が形成されている。この水抜き穴１１ａ〜１１ｎは、植物の根の通過を阻止し得る程度の大きさになっている。なお、この水抜き穴１１ａ〜１１ｎは中心線上だけでなく、中心線を囲む両側に形成してもよい。他のシート片１１Ｂ〜１１Ｎも同じ形状を有している。
【００５７】
内側シート材１１Ｘとしてはポリエチレン製のシートが使用される。ただしこのシート材１１Ｘはポリエチレンに限定されず、ポリ塩化ビニル、ポリプロピレン、ポリスチレン、ＡＢＳ樹脂、ＡＥＳ樹脂などの合成樹脂、あるいは、紙、布、不織布などを使用してもよい。このうちの例えば合成樹脂を用いると、気密性、耐蝕性、耐久性に優れた培地収容部を形成することができる。また、シート材は、透明材でもよいが、好ましくは、絵柄等を付したものが好ましい。例えば内側シート材１１Ｘに、図７（ａ）及び図７（ｂ）に示すような絵柄模様のついたものを用いると、内袋１１内に入れられる培地Ｇを隠すことができ、絵柄模様により室内に設置したときに調和させることが可能になる。
【００５８】
外側シート材１２Ｘにおける１枚分の外袋１２Ａの大きさは、図６（ａ）に示すように、対向する短辺１２１、１２２及び長辺１２３、１２４を有する矩形状のシート片となっている。このシート片は、各長辺１２３、１２４の長さを内袋１１Ａの各長辺１１３、１１４の長さと同じにし、各短辺１２１、１２２の長さは内袋１１Ａの各短辺１１１、１１２の長さより若干長くなっている。
【００５９】
外側シート材１２Ｘには、透明な不透水性シート材が使用される。好ましくは、絵柄等を付したものが好ましい。シート材に絵柄模様のものを用いると、培地Ｇを隠すことができ、また、絵柄により例えば室内に設置したときに、調和させることが可能になる。なお、このシート材には、防水性及び遮光性を有する素材、ポリエチレンフィルムにアルミ蒸着したもの、ポリエチレンフィルムにアルミ混入フィルムをラミネートしたものを使用してもよい。
【００６０】
長尺の内側シート材１１Ｘと外側シート材１２Ｘとは、外側シート材１２Ｘの上に内側シート材１１Ｘを配置して長手方向の両側端部を重ね合わせて両側端縁を熱溶着するとともに（図６（ｂ）参照）、この両側縁端から、内側へ所定長さ引っ込んだ箇所を熱溶着して、支持棒７Ａ、７Ｂを通す挿通孔１３を形成する（図６（ｃ）参照）。この挿通孔１３は、複数本、例えば３〜５本を所定間隔をあけて多段に設けるのが好ましい。複数本の挿通孔を形成することにより、使用時に支持棒７Ａ、７Ｂを挿入する挿通孔を適宜変更することにより、簡単に袋１０の容積を変更することが可能になる。また、内外側シート材１１Ｘ、１２Ｘは、両側端部を貼り合せた後に複数枚の袋１０Ａ〜１０Ｎに分断して、個々の袋分の切断面Ｃを接合する（図６（ｄ）参照）。この接合は、図６（ｄ）に示すように、内袋１１Ａ及び外袋１２Ａの底部から挿通孔１３の近傍まで固定し、この固定後に上部が開口した状態で、挿通孔１３が直線状となるようにする。そして、接合した外袋１２Ａの底部一端に水抜き穴（１２０）を形成する。
【００６１】
このように形成された袋１０はこの形状に限定されることなく種々変更することもできる。なお、図８は植物育成袋の変形例を示したもので、図８（ａ）は変形例１にかかる植物育成袋の側面図、図８（ｂ）は変形例２にかかる植物育成袋の外観斜視図である。
袋１０Ａは、外袋１２'の底部を内袋１１の長手方向の底部Ｂ１に対して所定角度傾斜させ、この傾斜部Ｂ２の最下位に水抜き穴１２０を形成したものである。このように外袋１２'に傾斜部Ｂ２を設けることにより、この外袋１２'内に滴下された水が自然と傾斜部Ｂ２の最下位に流れるため、その排出が容易になる。特に、夏季など周囲が高温の場合に外袋１２'内に水が溜まっているとこの水に雑菌の繁殖等が起こり、外袋１２'に汚れが付着する等の問題が発生することがあるので、このように傾斜を設けると汚れ等の付着を防止することもできる。また、袋１０Ｂは、長尺なシート片から切断された際の切断箇所を接合した後、両側に折り込んでこの接合箇所をガセット接合部としたものである。このようにすると袋内の容積を増すことができる。
【００６２】
このようにして作製された植物育成袋１０は、支持スタンド３に懸架されて使用される。使用法は、袋１０の挿通孔１３に支持棒７Ａ、７Ｂを差し込み、各支持棒を支持スタンドの保持具で固定する。次いで、袋１０の内袋１１内に培地Ｇを詰め込んた後に、この培地に植物を植え込む。その後、通常の植木鉢への植え込みと同じように、定期的に水或いは肥料を供給すれば植物を育てることができる。水等が培地Ｇへ供給されると、内袋１１の水抜き穴１１ａ〜１１ｎから余分な水等が排出されて外袋１２底部の水抜き穴１２０から外へ排出される。このとき水抜き穴１２０を所定の排水施設に連通させたり、簡易にはこの水抜き穴１２０の下にバケツ等を置いておけば水等が周辺に飛散する心配がない。また、内袋１１の水抜き穴１１ａ〜１１ｎが植物の根によって詰まってしまうことがあるので、底部に不図示の防根シート、例えば不織布を敷設するのが好ましい。
【実施例２】
【００６３】
図９は本発明の実施例２に係る植物育成装置を示し、図９（ａ）は植物育成袋、図９（ｂ）は支持リング、図９（ｃ）は支持スタンド、図９（ｄ）は図９（ａ）の植物育成袋を吊下して使用する斜視図である。
本実施例に係る植物育成袋１０Ｃは、図９（ａ）に示すように、その内袋１５の底部が円盤状の有底筒状体であり、外袋１６が半球状体となっている。詳しくは、内袋１５の底部には複数個の水抜き穴１５ａ〜１５ｎが形成され、内袋１５の開口部と外袋１６の開口部とはほぼ同一径を有しており、両袋の開口部が熱溶着によって封止され、更にこの封止された開口端部から所定距離内側に入った箇所も同様に円形に熱溶着し、熱溶着した箇所によって挟まれたリング状部分の一部を切除することにより、後述する支持リング１７Ａが挿入される挿通孔１７が形成されている。また、外袋１６の底部の最下部には水抜き用の孔（図示省略）が設けられている。
【００６４】
このように内袋１５と外袋１６とが重ね合わされてなる袋１０Ｃは、その挿通孔１７内に、図９（ｂ）に示すようなリング状の支持リング１７Ａが取り付けられる。この支持リング１７Ａはその一部が切断されて挿入端部を形成しており、この挿入端部から挿通孔１７のリング状部分の切除された部分に挿入することにより、支持リング１７Ａは挿通孔１７内に収納される。
【００６５】
そして、支持リング１７Ａが取り付けられた袋１０Ｃは、図９（ｃ）に示すような支持スタンド１８に懸架されて支持される。この支持スタンド１８は、支持リング１７Ａの径よりも僅かに小さな径を有する上部リング１８ａと、この上部リング１８ａよりも大きな径を有する下部リング１８ｂと、この上下部リング１８ａ、１８ｂの間を連結し、袋１０Ｃの高さよりも長尺な複数本（例えば４本）の支持フレーム１８１〜１８４とからなる。そしてこれらの部材からなる支持スタンド１８は金属材等所定の強度を備える部材を用いて形成される。
【００６６】
支持スタンド１８に袋１０Ｃを取り付けて使用する際には、支持リング１７Ａが取り付けられた挿通孔１７が支持リング１７Ａよりも小径な上部リングに懸架されるように載置し、内袋１５に培地及び植物を入れて行う。
【００６７】
また、支持スタンド１８に代えて、袋１０Ｃをフック等に引掛けて使用することもできる。これは、例えば図９（ｄ）に示すように、支持リング１７Ａの所定箇所に一端を固定し、他端をフック等に固定するように支持リング１７Ａの複数個所に取り付けられた吊下紐１９１〜１９４により、袋１０Ｃを支持するようにしてもよい。支持スタンド１８あるいは吊下紐１９１〜１９４はその用途等に合わせて適宜選択使用すればよい。また、ここでは袋１０Ｃの開口部を円形としたが、例えば多角形状であっても良く、支持リング１７Ａも合わせて変更すればよい。
【図面の簡単な説明】
【００６８】
【図１】図１は本発明の実施例１に係る植物育成袋及び支持スタンドからなる植物育成装置を示す外観斜視図である。
【図２】図２は図１の植物育成装置を異なる角度からみたもので、図２（ａ）は図１のＸ１方向からみた側面図、図２（ｂ）は図１のＸ２方向からみた側面図である。
【図３】図３は実施例１の植物育成装置の変形例１を示し、図３（ａ）は図２（ａ）に、図３（ｂ）は図２（ｂ）にそれぞれ対応する側面図である。
【図４】図４は実施例１の植物育成装置の変形例２に係る外観斜視図である。
【図５】図５は本実施例の植物育成袋を示し、図５（ａ）は長手方向の側面図、図５（ｂ）は図５（ａ）のＸ３方向からみた側面図、図５（ｃ）は図５（ａ）のＸ４方向からみた上面図である。
【図６】図６は植物育成袋の作成工程を示す図である。
【図７】図７は植物育成袋の変形例を示す図である。
【図８】図８は植物育成袋の変形例を示したもので、図８（ａ）は変形例１にかかる植物育成袋の側面図、図８（ｂ）は変形例２にかかる植物育成袋の外観斜視図である。
【図９】図９は本発明の実施例２に係る植物育成装置を示し、図９（ａ）は植物育成袋、図９（ｂ）は支持リング、図９（ｃ）は支持スタンド、図９（ｄ）は図９（ａ）の植物育成袋を吊下して使用する斜視図である。
【図１０】図１０は従来技術の簡易作業装置の側面図である。
【図１１】図１１は先行技術の簡易ベッドの斜視図である。
【符号の説明】
【００６９】
１、１Ｂ    植物育成装置
３          支持スタンド
３Ａ、３Ｂ  支持フレーム
３１、３２、３１'、３２'  フレーム片
３３、３３'  連結片
４１、４２、４１'、４２'  保持具
６          調節部材
６１、６２  結合部
７Ａ、７Ｂ  支持棒
１０、１０Ａ〜１０Ｃ  （植物育成）袋
１１、１５  内袋
１２、１６  外袋
【図１】
2008048640.tif 000003
【図２】
2008048640.tif 000004
【図３】
2008048640.tif 000005
【図４】
2008048640.tif 000006
【図５】
2008048640.tif 000007
【図６】
2008048640.tif 000008
【図７】
2008048640.tif 000009
【図８】
2008048640.tif 000010
【図９】
2008048640.tif 000011
【図１０】
2008048640.tif 000012
【図１１】
2008048640.tif 000013